(57)【要約】      （修正有）【課題】バッグの持ち手やリュックの肩掛けをずれ落ちずに、安心して持てる帯状布を提供する。【解決手段】帯状布１０の両面にすべり止め１１、１２をつけ、バッグの持ち手やリュックの肩掛けに巻き付けて使用する。これにより、バッグの持ち手やリュックの肩掛けが、人の肩や腕から滑り落ちるのを防ぐことができる。【選択図】図１
0003222706.tif 000002
【実用新案登録請求の範囲】
【請求項１】
両面にすべり止めが付けられた帯状布。
【請求項２】
表面はすべり止めが長手方向に対して斜めに入っており、裏面はすべり止めが、表面のすべり止めに対して交差するように長手方向に斜めに入っており、透視してみた時、表面のすべり止めと裏面のすべり止めとが、Ｘ字状になっている、請求項１に記載の帯状布。
【請求項３】
帯状布の両端は、斜めにカットされている、請求項１又は２に記載の帯状布。
【請求項４】
帯状布から分岐する分岐布をさらに含む、請求項１から３のいずれか一項に記載の帯状布。
【請求項５】
分岐布の先端は、斜めにカットされている、請求項４に記載の帯状布。
【考案の詳細な説明】
【技術分野】
【０００１】  本考案は、バッグの持ち手やリュックの肩掛け等に巻き付けてすべり止め用布として使用できる帯状布に関する。
【背景技術】
【０００２】  バッグの持ち手やリュックの肩掛け部は、すべりやすく、常に神経を使って持ち替えたり、かけなおしたりしなくてはならない。特に女性や、なで肩の人はその傾向が顕著である。そのため、バッグやリュックを長時間持つと、神経も体も疲労する。
【先行技術文献】
【特許文献】
【０００３】
【特許文献１】登録実用新案第３０３１８７７号公報
【考案の概要】
【考案が解決しようとする課題】
【０００４】本考案の課題は、バッグの持ち手やリュックの肩掛けをずれ落ちずに、安心して持つことができる帯状布を提供することである。
【課題を解決するための手段】
【０００５】  本考案にかかる帯状布の両面にはすべり止めがつけられている。
本考案において、表面はすべり止めが長手方向に対して斜めに入っており、裏面はすべり止めが、表のすべり止めに対して交差するように長手方向に斜めに入っている、帯状布を透視してみた時、表面のすべり止めと裏面のすべり止めがＸ字状になっていることが好ましい。
本考案において、帯状布の両端は、斜めにカットされていることが好ましい。
本考案にかかる帯状布において、帯状布から分岐している分岐布が設けられていることが好ましい。
この分岐布の先端は、斜めにカットされていることが好ましい。
【考案の効果】
【０００６】  バッグの持ち手やリュックの肩掛けをずれ落ちずに、使用者は、安心して持つことができる。
【図面の簡単な説明】
【０００７】
【図１】本考案の第１実施形態に係る帯状布の表面（ａ）と裏面（ｂ）の平面図である。
【図２】第１実施形態に係る帯状布をバッグの持ち手に巻き付けた状態を示す図である。
【図３】第１実施形態に係る帯状布をリュックの肩掛けに巻き付けた状態を示す図である。
【図４】本考案の第２実施形態に係る帯状布の表面（ｃ）と裏面（ｄ）の平面図である。
【図５】第２実施形態に係る帯状布をバッグの持ち手に巻き付けた状態を示す図である。
【図６】第２実施形態に係る帯状布をリュックの肩掛けに巻き付けた状態を示す図である。
【考案を実施するための形態】
【０００８】  本発明の第１実施形態に係る帯状布１０には、図１に示されるように、両面にすべり止め１１，１２が設けられている。
図２のように第１実施形態に係る帯状布１０をバッグ２０の持ち手２１に巻き付けると、バッグ側および使用者の腕や肩の双方にすべり止め１１，１２が接触しその結果、バッグ２０の持ち手２１と布とがずれないという効果もある。さらに、第１実施形態に係る帯状布１０をバッグ２０の持ち手２１に巻き付けて腕や肩にかけた時に、人の腕や肩とバッグ２０の持ち手２１との間に挟まれると、両面のすべり止め１１，１２の効果で、バッグ２０の持ち手２１が腕や肩からずれたりすべり落ちない。図３に示されるように第１実施形態に係る帯状布１０はリュック３０の肩掛け３１も同じように巻き付けて使用できる。
【０００９】  第１実施形態に係る帯状布１０の両端は、帯状布１０を持ち手２１にくくり付ける際に、その帯状布１０を輪状にして形成される結び目への差し込みを行いやすいように斜めにカットされている。
【００１０】  帯状布１０の表面は、すべり止め１１が長手方向に対して斜めに入っており、帯状布１０の裏面はすべり止め１２が、表側のすべり止め１１に対して交差するように長手方向に斜めに入っている。そして、透視してみた時、表面のすべり止め１１と裏面のすべり止め１２とがＸ字状になっている。
なお、すべり止め１１，１２は帯状布１０の両端部を除く部分に設けられていることが好ましい。両端部にすべり止め１１，１２を設けないのは、帯状布１０の両端部は持ち手２１等に巻き付けることが想定されていない部分であり、しかも、他人の目につき易い部分なので、そのような部分である両端部にはすべり止め１１，１２を設けないようにしている。
【００１１】  この考案の第１実施形態によれば、帯状布１０の両面にすべり止め１１，１２がついている。その帯状布１０をバッグ２０の持ち手やリュック３０の肩掛け３１の一部または全面に巻くことで、バッグ２０の持ち手２１やリュック３０の肩掛け３１に帯状布１０の片面のすべり止め１１，１２が接触し、又、帯状布１０のもう一方の面が人の肩の部分の衣服にも接触することで、肩から滑り落ちたりずれたりしにくい。バッグ１０の持ち手２１やリュック３０の肩掛け３１と、帯状布１０が接触することで、バッグの持ち手やリュックの肩掛けがずれることが無い。また、すべり止め１１、１２が両面にあることで、双方が接触し摩擦により、すべり落ちないので安心して持つことができる。
【００１２】  本考案の第２実施形態に係る帯状布１０Ａは、図４に示されるように、帯状布本体４０と、帯状布本体４０から分岐する分岐布４１とを含む、枝布付き帯状体である。帯状布本体４０は、帯状布１０（図１〜図３参照）と同等の構成である。そのため、帯状布本体４０についての説明は省力する。
分岐布４１は、帯状布本体４０の両端側にそれぞれ取りつけられている。各分岐布４１は、帯状布４０の各端部に対して鋭角をなしている（人の字状）。
この分岐布４１はバッグ２０の持ち手２１に巻き付ける際に、リボン状に結び付けるために施されている。
【００１３】  図５のように、分岐布４１と帯状布本体４０とを、バッグ２０の持ち手２１にリボン状に結び付けることにより、そこからファッション性も発生する。図６に示されるように、第２実施形態に係る帯状布１０Ａは、リュック３０の肩掛け３１にも同じように巻き付けて使用できる。
第２実施形態に係る帯状布１０Ａも、第１実施形態に係る帯状布１０と同じく、表面はすべり止め１１が長手方向に対して、斜めに入っており、裏面はすべり止め１２が、表のすべり止め１１に対して交差するように長手方向に斜めに入っている。そして、透視してみた時、表面のすべり止め１１と裏面のすべり止め１２がＸ字状になっている。また、図４に示すように、分岐布４１の両面にも、すべり止め４２，４３が設けられていることが好ましい。すべり止め４２，４３はすべり止め１１，１２と同等の構成である。この場合、すべり止め４２，４３は、分岐布４１の先端部を除く部分に設けられていることが好ましい。
また、帯状布１０，１０Ａは重複布であってもよい。この場合、一枚布に限らず、複数の布を合わせて形成した表側のすべり止め１１，４２は最も表側の布の表面に形成されており、裏側のすべり止め１２，４３は最も裏側の布に形成されている。なお、すべり止め１１，２１、４２．４３は例えばゴム（シリコンゴム等）である。
【符号の説明】
【００１４】１０      帯状布
１０Ａ    帯状布
１１      表面すべり止め
１２      裏面すべり止め
２０      バッグ
２１      持ち手
３０      リュック
３１      肩掛け
４０      帯状布本体
４１      分岐布
４２      表面すべり止め
４３      裏面すべり止め
【図１】
0003222706.tif 000003
【図２】
0003222706.tif 000004
【図３】
0003222706.tif 000005
【図４】
0003222706.tif 000006
【図５】
0003222706.tif 000007
【図６】
0003222706.tif 000008